(57)【要約】【課題】  現場打ちコンクリート構造物の型枠と鉄筋とを所定位置に保持するセパレータを容易に且つ短時間で強固に取り付けることができるセパレータ取付金具を提供する。【解決手段】  上板部１２と、上板部１２の左右側辺が折曲されて左右側辺から下方に垂設される左右側板部１３，１４とから成るセパレータ取付金具１１であって、前記上板部１２の両端近傍に第１、第２貫通孔１５，１６が夫々開穿され、前記左右側板部１３，１４の中央部及びその両側方に横孔１７，１７…が夫々左右対向して開穿され、左右側板部１３，１４の下端中央部に略半円状に切欠された切欠部１８，１８が夫々形成されているセパレータ取付金具を提供する。【選択図】  図１
2006299715.tif 000002
【特許請求の範囲】
【請求項１】
上板部と、該上板部の左右側辺が折曲されて該左右側辺から下方に垂設される左右側板部とから成るセパレータ取付金具であって、前記上板部の両端近傍に第１、第２貫通孔が夫々開穿され、前記左右側板部の中央部及びその両側方に横孔が夫々左右対向して開穿され、該左右側板部の下端中央部に略半円状に切欠された切欠部が夫々形成されていることを特徴とするセパレータ取付金具。
【請求項２】
上記上板部に開穿される第１貫通孔は、長孔状に形成され、第２貫通孔は、丸孔と、該丸孔から該上板部の長手方向に延び、該丸孔の直径よりも小幅の溝孔とから形成され、該上板部の該第１、第２貫通孔の外端部近傍は、上方に突設して、該上板部に取り付けられるセパレータ取付金具締結具のずれを規制するずれ止め突起が形成されていることを特徴とする請求項１記載のセパレータ取付金具。
【請求項３】
先端部に直方体状部材が横設されフック形状に形成された一端側のフック部と、ナット装着自在の他端側の雄ネジ部と、中央部の可撓性の連結体とから成り、該フック部及び雄ネジ部が該連結体の両端に固着されるセパレータ取付金具締結具であって、前記フック部は、直方体状部材の長手方向の向きを請求項２記載のセパレータ取付金具の第１貫通孔の長手方向に揃えると該第１貫通孔を通過可能であり、その向きを９０度回転すると通過を規制されるように形成され、前記ナットは請求項２記載のセパレータ取付金具の丸孔を通過可能であり、溝孔の通過を規制されるように形成されていることを特徴とするセパレータ取付金具締結具。
【請求項４】
請求項２記載のセパレータ取付金具の上記切欠部を鉄筋の上に載置し、請求項３記載のセパレータ取付金具締結具のフック部を該セパレータ取付金具の第１貫通孔を下方から貫通させた後、該セパレータ取付金具締結具を略９０度回転させ、上記連結体を湾曲させて前記鉄筋を巻回し、ナットを装着した上記雄ネジ部を上記第２貫通孔の丸孔内を該ナットと共に貫通させ、該ナットと共に該雄ネジ部を上記溝孔側に移動させ、該ナットを締め付けて該セパレータ取付金具を前記鉄筋に固定し、該セパレータ取付金具の左右側板部の横孔に、一端を型枠に止着されて延びるセパレータの他端を貫通させ、該セパレータに刻設された雄ネジ部に螺着されたナットによる締付により該セパレータを該セパレータ取付金具に固設することを特徴とするセパレータ取付金具取付構造。
【請求項５】
請求項２記載のセパレータ取付金具の上記切欠部を鉄筋の上に載置し、Ｕボルトに該鉄筋を挟持させ、該Ｕボルトの両端を上記第１、第２貫通孔を夫々貫通させ、該Ｕボルトの両端をナットで締付けて、該セパレータ取付金具を前記鉄筋に固定し、該セパレータ取付金具の左右側板部の横孔に、一端を型枠に止着されて延びるセパレータの他端を貫通させ、該セパレータに刻設された雄ネジ部に螺着されたナットによる締付により該セパレータを該セパレータ取付金具に固設することを特徴とするセパレータ取付金具取付構造。
【発明の詳細な説明】
【技術分野】
【０００１】
本発明は、現場打ち鉄筋コンクリート構造物の型枠と鉄筋とを所定位置に保持するセパレータを取り付けるためのセパレータ取付金具、セパレータ取付金具締結具及びセパレータ取付構造に関するものである。
【背景技術】
【０００２】
此種従来のセパレータ取付方法として、例えば、特に、断面の大きな構造物の施工では、セパレータを構造物の鉄筋に直接溶接する方法がとられていた。
【０００３】
又、図１１に示すように、現場打ち鉄筋コンクリート構造物の型枠１と鉄筋２とを所定位置に保持するセパレータ３を取り付けるセパレータ取付構造４に於いて、上板部５と、上板部５の左右側辺が折曲されて左右側辺から下方に垂設される左右側板部６，７とから成り、左右側板部６，７の下端中央部に略半円状に切欠された切欠部８，８が夫々形成され、上板部５の両端近傍に貫通孔（図示せず）が夫々開穿されたセパレータ取付金具９を、Ｕボルト１０によって鉄筋２に固着し、一端を型枠１に止着されて鉄筋２側に延びるセパレータ３の他端部をセパレータ取付金具９の上板部５に溶接して、セパレータ３をセパレータ取付金具９に固着し、セパレータ３に止着された型枠１と、セパレータ取付金具９に固着された鉄筋２とを所定位置に保持して連結するセパレータ取付構造は既に知られている。
【０００４】
又、特許文献１にも鉄筋取付型セパレータボルト及びその取付構造が記載されており、その中に、山形に屈曲してその両裾辺中央部に鉄筋の条溝と係合する受部を設けた山形鉄板を締結ボルトによって鉄筋に締結し、この山形鉄板にはその頂稜と略直交する方向にねじ杆が溶接により固定され、一端がコンパネに止着されるセパレータボルトがねじ杆に螺着されるように構成されたセパレータボルト取付構造が記載されている。
【０００５】
更に、特許文献２には、鉄筋とセパレータとの連結金具が記載されており、その中に、本体、ボルト、及び回転軸から成り、本体は貫通ネジ孔を有する上部、上部の一端から略直角に連接された側部、及び側部の遊端から上部のある側に連接され且つ上部に対向する側が凹入したＶ字形鉄筋受け部とを備えた連結金具が記載されている。
【特許文献１】特開２００３−１４７９６０号公報
【特許文献２】特開２００３−１７２０２７号公報
【発明の開示】
【発明が解決しようとする課題】
【０００６】
前述したセパレータを構造物の鉄筋に直接溶接する方法、或いは、図１に示したセパレータ取付構造は、セパレータを鉄筋或いはセパレータ取付金具に溶接するものである。
【０００７】
然しながら、溶接は１０００℃以上の高温で加熱するため、溶接箇所の鉄筋、セパレータ或いは前記セパレータ取付金具の成分が変化して強度が低下する虞がある。
【０００８】
又、型枠を取外したのち、セパレータ或いはセパレータ取付金具は打設されたコンクリート内に残るが、近年頻発している地震等により、セパレータ或いはセパレータ取付金具の溶接による連結箇所が破損し、それによって構造物が損傷或いは破壊する虞がある。
【０００９】
更に又、多数のセパレータを溶接することは作業上の多大な労力と時間がかかるという問題がある。
【００１０】
そして、特許文献２に於いても、溶接する箇所があり前述と同様な問題が発生する。
【００１１】
又、特許文献１も、ねじ杆を山形鉄板に溶接するものであり、前述と同様な問題が発生する。
【００１２】
但し、特許文献１には、セパレータボルトを山形鉄板に螺刻した雌ネジ孔に直接ねじ込んで連結する方法も記載されている。この場合には、セパレータボルトを回転自在に構成するためその構成が複雑になるという問題があり、又、セパレータボルトを山形鉄板に螺着するため、或いは、セパレータボルトの長さ調節のためセパレータボルトを回転させる作業が発生し、その作業時間がかかるという問題がある。
【００１３】
以上の現状に鑑み、本発明は、現場打ちコンクリート構造物の型枠と鉄筋とを所定位置に保持するセパレータを容易に且つ短時間で強固に取り付けることができるセパレータ取付金具、セパレータ取付金具締結具及びセパレータ取付構造を提供する。
【課題を解決するための手段】
【００１４】
上記の課題を解決すべく、本発明は以下の構成を提供する。
請求項１に係る発明は、上板部と、該上板部の左右側辺が折曲されて該左右側辺から下方に垂設される左右側板部とから成るセパレータ取付金具であって、前記上板部の両端近傍に第１、第２貫通孔が夫々開穿され、前記左右側板部の中央部及びその両側方に横孔が夫々左右対向して開穿され、該左右側板部の下端中央部に略半円状に切欠された切欠部が夫々形成されていることを特徴とするセパレータ取付金具を提供するものである。
【００１５】
請求項２に係る発明は、上記上板部に開穿される第１貫通孔は、長孔状に形成され、第２貫通孔は、丸孔と、該丸孔から該上板部の長手方向に延び、該丸孔の直径よりも小幅の溝孔とから形成され、該上板部の該第１、第２貫通孔の外端部近傍は、上方に突設して、該上板部に取り付けられるセパレータ取付金具締結具のずれを規制するずれ止め突起が形成されていることを特徴とする請求項１記載のセパレータ取付金具を提供するものである。
【００１６】
請求項３に係る発明は、先端部に直方体状部材が横設されフック形状に形成された一端側のフック部と、ナット装着自在の他端側の雄ネジ部と、中央部の可撓性の連結体とから成り、該フック部及び雄ネジ部が該連結体の両端に固着されるセパレータ取付金具締結具であって、前記フック部は、直方体状部材の長手方向の向きを請求項２記載のセパレータ取付金具の第１貫通孔の長手方向に揃えると該第１貫通孔を通過可能であり、その向きを９０度回転すると通過を規制されるように形成され、前記ナットは請求項２記載のセパレータ取付金具の丸孔を通過可能であり、溝孔の通過を規制されるように形成されていることを特徴とするセパレータ取付金具締結具を提供するものである。
【００１７】
請求項４に係る発明は、請求項２記載のセパレータ取付金具の上記切欠部を鉄筋の上に載置し、請求項３記載のセパレータ取付金具締結具のフック部を該セパレータ取付金具の第１貫通孔を下方から貫通させた後、該セパレータ取付金具締結具を略９０度回転させ、上記連結体を湾曲させて前記鉄筋を巻回し、ナットを装着した上記雄ネジ部を上記第２貫通孔の丸孔内を該ナットと共に貫通させ、該ナットと共に該雄ネジ部を上記溝孔側に移動させ、該ナットを締め付けて該セパレータ取付金具を前記鉄筋に固定し、該セパレータ取付金具の左右側板部の横孔に、一端を型枠に止着されて延びるセパレータの他端を貫通させ、該セパレータに刻設された雄ネジ部に螺着されたナットによる締付により該セパレータを該セパレータ取付金具に固設することを特徴とするセパレータ取付金具取付構造を提供するものである。
【００１８】
請求項５に係る発明は、請求項２記載のセパレータ取付金具の上記切欠部を鉄筋の上に載置し、Ｕボルトに該鉄筋を挟持させ、該Ｕボルトの両端を上記第１、第２貫通孔を夫々貫通させ、該Ｕボルトの両端をナットで締付けて、該セパレータ取付金具を前記鉄筋に固定し、該セパレータ取付金具の左右側板部の横孔に、一端を型枠に止着されて延びるセパレータの他端を貫通させ、該セパレータに刻設された雄ネジ部に螺着されたナットによる締付により該セパレータを該セパレータ取付金具に固設することを特徴とするセパレータ取付金具取付構造を提供するものである。
【発明の効果】
【００１９】
本発明の請求項１記載の発明によれば、上板部と、該上板部の左右側辺が折曲されて該左右側辺から下方に垂設される左右側板部とから成るセパレータ取付金具であって、前記上板部の両端近傍に第１、第２貫通孔が夫々開穿され、前記左右側板部の中央部及びその両側方に横孔が夫々左右対向して開穿され、該左右側板部の下端中央部に略半円状に切欠された切欠部が夫々形成されているセパレータ取付金具を提供するので、現場打ちコンクリート構造物の型枠と鉄筋とを所定位置に保持するセパレータを容易に且つ短時間で強固に取り付けることができるセパレータ取付金具を提供できる。
【００２０】
請求項２記載の発明によれば、上記上板部に開穿される第１貫通孔は、長孔状に形成され、第２貫通孔は、丸孔と、該丸孔から該上板部の長手方向に延び、該丸孔の直径よりも小幅の溝孔とから形成され、該上板部の該第１、第２貫通孔の外端部近傍は、上方に突設して、該上板部に取り付けられるセパレータ取付金具締結具のずれを規制するずれ止め突起が形成されているので請求項１記載の発明の効果に加え、セパレータ取付金具締結具の取付が容易になると共に、セパレータ取付金具締結具による締付が容易となり、且つ、取り付けたセパレータ取付金具締結具のずれによる離脱も防止できる。
【００２１】
請求項３記載の発明によれば、先端部に直方体状部材が横設されフック形状に形成された一端側のフック部と、ナット装着自在の他端側の雄ネジ部と、中央部の可撓性の連結体とから成り、該フック部及び雄ネジ部が該連結体の両端に固着されるセパレータ取付金具締結具であって、前記フック部は、直方体状部材の長手方向の向きを請求項２記載のセパレータ取付金具の第１貫通孔の長手方向に揃えると該第１貫通孔を通過可能であり、その向きを９０度回転すると通過を規制されるように形成され、前記ナットは請求項２記載のセパレータ取付金具の丸孔を通過可能であり、溝孔の通過を規制されるように形成されているセパレータ取付金具締結具を提供するので、セパレータ取付金具締結具の取り付けが容易であると共に、セパレータ取付金具の締結が容易である。
【００２２】
請求項４記載の発明によれば、請求項２記載のセパレータ取付金具の上記切欠部を鉄筋の上に載置し、請求項３記載のセパレータ取付金具締結具のフック部を該セパレータ取付金具の第１貫通孔を下方から貫通させた後、該セパレータ取付金具締結具を略９０度回転させ、上記連結体を湾曲させて前記鉄筋を巻回し、ナットを装着した上記雄ネジ部を上記第２貫通孔の丸孔内を該ナットと共に貫通させ、該ナットと共に該雄ネジ部を上記溝孔側に移動させ、該ナットを締め付けて該セパレータ取付金具を前記鉄筋に固定し、該セパレータ取付金具の左右側板部の横孔に、一端を型枠に止着されて延びるセパレータの他端を貫通させ、該セパレータに刻設された雄ネジ部に螺着されたナットによる締付により該セパレータを該セパレータ取付金具に固設するセパレータ取付金具取付構造を提供するので、セパレータ取付金具及びセパレータ取付金具締結具を用いて、現場打ちコンクリート構造物の型枠と鉄筋とを所定位置に保持するセパレータを容易に且つ短時間で強固に取り付けることができるセパレータ取付金具取付構造を提供できる。
【００２３】
請求項５記載の発明によれば、請求項２記載のセパレータ取付金具の上記切欠部を鉄筋の上に載置し、Ｕボルトに該鉄筋を挟持させ、該Ｕボルトの両端を上記第１、第２貫通孔を夫々貫通させ、該Ｕボルトの両端をナットで締付けて、該セパレータ取付金具を前記鉄筋に固定し、該セパレータ取付金具の左右側板部の横孔に、一端を型枠に止着されて延びるセパレータの他端を貫通させ、該セパレータに刻設された雄ネジ部に螺着されたナットによる締付により該セパレータを該セパレータ取付金具に固設するセパレータ取付金具取付構造を提供するので、セパレータ取付金具及びＵボルトを用いて、現場打ちコンクリート構造物の型枠と鉄筋とを所定位置に保持するセパレータを容易に且つ短時間で強固に取り付けることができるセパレータ取付金具取付構造を提供でき、比較的安価なＵボルトを用いるので、コスト削減に寄与できる。
【発明を実施するための最良の形態】
【００２４】
以下、実施例を示した図面を参照しつつ本発明の実施の形態を説明する。
図１及び図２に於いて、１１は、本発明によるセパレータ取付金具であり、セパレータ取付金具１１は、上板部１２と、上板部１２の左右側辺が折曲されて左右側辺から下方に垂設される左右側板部１３，１４とから成り、上板部１２の両端近傍に第１、第２貫通孔１５，１６が夫々開穿され、左右側板部１３，１４の前後方向中央部及びその両前後側方に横孔１７，１７…が夫々左右対向して開穿され、左右側板部１３，１４の下端中央部に略半円状に切欠された切欠部１８，１８が夫々形成されている。
【００２５】
そして、前記上板部１２に開穿される第１貫通孔１５は、長孔状に形成され、第２貫通孔１６は、丸孔１９と、丸孔１９から上板部１２の長手方向に延び、丸孔１９の直径よりも小幅の溝孔２０とから形成され、上板部１２の第１、第２貫通孔１５，１６の外端部近傍は、上方に突設して、上板部１２に取り付けられる後述するセパレータ取付金具締結具（図示せず）のずれを規制するずれ止め突起２１，２２が形成されている。
【００２６】
図３に於いて、３１は、本発明によるセパレータ取付金具締結具であり、セパレータ取付金具締結具３１は、先端部に直方体状部材３２が横設されフック形状に形成された一端側のフック部３３と、ナット３４装着自在の他端側の雄ネジ部３５と、可撓性のワイヤ又は硬質塩化ビニール等で形成され、中央部に配置される連結体３６とから成り、フック部３３及び雄ネジ部３５が連結体３６の両端に固着されており、前記フック部３３は、直方体状部材３２の長手方向の向きを前記セパレータ取付金具(図１に於いて１１)の第１貫通孔（図１に於いて１５）の長手方向に揃えると第１貫通孔を通過可能であり、その向きを９０度回転すると通過を規制されるように形成され、前記ナット３４は前記セパレータ取付金具（図１に於いて１１)の丸孔（図１に於いて１９)を通過可能であり、溝孔（図１に於いて２０)の通過を規制されるように形成されている
【００２７】
而して、図４に示す如く、前記セパレータ取付金具１１と、鉄筋４１とを前記セパレータ取付金具締結具３１を用いて締結する場合は、先ず、セパレータ取付金具１１の切欠部１８，１８を鉄筋４１の上に載置し、セパレータ取付金具締結具３１のフック部３３を、フック部３３の直方体状部材３２の長手方向をセパレータ取付金具１１の第１貫通孔１５の長手方向に揃えて、フック部３３を第１貫通孔１５の下方から貫通させた後、セパレータ取付金具締結具３１を略９０度回転させ、前記連結体３６を湾曲させて鉄筋４１を巻回し、図中矢印の如く、ナット３４を装着した前記雄ネジ部３５を前記第２貫通孔１６の丸孔１９内をナット３４と共に貫通させ、更に、ナット３４と共に雄ネジ部３５を前記溝孔２０側に移動させ、ナット３４を締め付けて、図５及び図６に示す如く、セパレータ取付金具１１を前記鉄筋４１に固定する。
【００２８】
図７は、前述した前記セパレータ取付金具１１と、鉄筋４１とを前記セパレータ取付金具締結具３１を用いて締結する方法と、セパレータ４２をセパレータ取付金具１１に固設する方法を示している。
【００２９】
セパレータ取付金具１１と、鉄筋４１とをセパレータ取付金具締結具３１を用いて締結する方法は前述したとおりであり、セパレータ４２をセパレータ取付金具１１に固設する場合は、セパレータ取付金具１１の左右側板部１３，１４の何れかの左右横孔１７，１７に、一端を型枠（図示せず）に止着されて延びるセパレータ４２の他端を貫通させ、図８に示す如くセパレータ４２の先端部に刻設された雄ネジ部４３に螺着したナット４４，４４によりセパレータ取付金具１１の左右側板部１３，１４を挟持状態に締付け、セパレータ４２をセパレータ取付金具１１に固設する。
【００３０】
図９に於いて、４６は、完成したセパレータ取付金具取付構造４６を示しており、セパレータ取付金具取付構造４６は、セパレータ取付金具１１の切欠部１８が鉄筋４１の上に載置され、セパレータ取付金具締結具３１を用いて、前述した方法によりセパレータ取付金具１１を鉄筋４１に固定し、セパレータ取付金具１１の左右側板部１３，１４に、前述した方法によりセパレータ４２の他端を貫通させ、ナット４４を螺着してセパレータ４２をセパレータ取付金具１１に固設した構造である。
【００３１】
尚、通常の現場打ちコンクリート構造物の型枠４５と鉄筋４１は、図９に示すように鉄筋４１，４１…の両側方に型枠４５，４５が配置される場合が多く、この場合に於いては、両側方の型枠４５，４５から延びるセパレータ４２，４２…を前記セパレータ取付金具１１，１１…の左右側板部１３，１４の横孔１７，１７…を貫通させてナット４４，４４…で固定する。前記セパレータ取付金具１１は１〜３本のセパレータ４２を固定することが可能である。
【００３２】
そして、鉄筋４１と型枠４５，４５の施工規模に応じて、適宜個数の前記セパレータ取付金具１１，１１…を用いたセパレータ取付金具取付構造４６，４６……によって鉄筋４１と型枠４５，４５とを所定位置に保持する。
【００３３】
斯くして、前記セパレータ取付金具１１は、現場打ち鉄筋コンクリート構造物の型枠４５と鉄筋４１とを所定位置に保持するセパレータ４２を容易に且つ短時間で強固に取り付けることができる。
【００３４】
又、前記セパレータ取付金具１１は、第１貫通孔１５が、長孔状に形成され、第２貫通孔１６が、丸孔１９と、小幅の溝孔２０とから形成され、第１、第２貫通孔１５，１６の外端部近傍にずれ止め突起２１，２２が形成されているので、セパレータ取付金具締結具３１の取り付け及びセパレータ取付金具締結具３１による締結が容易となり、且つ、取り付けたセパレータ取付金具締結具３１のずれによる離脱も防止できる。
【００３５】
更に、前記セパレータ取付金具締結具３１は、フック部３３が、第１貫通孔１５を通過可能であり、その向きを９０度回転すると通過を規制されるように形成され、ナット３４は丸孔１９を通過可能であり、溝孔２０の通過を規制されるように形成されているので、セパレータ取付金具１１への取り付け及びセパレータ取付金具１１の締結が容易である。
【００３６】
更に又、前記セパレータ４２は、セパレータ４２の先端部に螺着されたナット４４，４４によってセパレータ４２をセパレータ取付金具１１に固設するように構成されているので、ナット４４，４４の調節により、型枠４５と鉄筋４１との間隔及び型枠４５の傾き等について型枠４５を最適な状態で保持できる。又、前記セパレータ取付金具１１は１〜３本のセパレータを固設できる。
【００３７】
そして、前記セパレータ取付金具取付構造４６は、セパレータ取付金具１１及びセパレータ取付金具締結具３１を用いて、現場打ちコンクリート構造物の型枠４５と鉄筋４１とを所定位置に保持するセパレータ４２を容易に且つ短時間で強固に取り付けることができる構造を提供できる。
【００３８】
即ち、前記セパレータ取付金具取付構造４６は、溶接箇所がなく、従って、溶接による材料の劣化を招くことがなく、強固なものとなり、セパレータ取付金具取付構造４６を構成するセパレータ取付金具１１、セパレータ取付金具締結具３１及びセパレータ４２が残留する施工後の型枠を取外した鉄筋コンクリート構造物は、前述した強固なセパレータ取付金具取付構造４６によって大地震等にも耐えられる強度を備えている。
【００３９】
図１０は、前記セパレータ取付金具締結具（図５に於いて３１）に代えて、Ｕボルト５１を用いる場合のセパレータ取付金具取付構造５２を示しており、前記セパレータ取付金具１１に適用することができる。
【００４０】
そして、セパレータ取付金具取付構造５２にＵボルト５１を用いる場合は、Ｕボルト５１に鉄筋４１を挟持させ、Ｕボルト５１の両端を第１、第２貫通孔１５，１６を夫々貫通させ、Ｕボルト５１の両端をナット５３，５３で締付けて、セパレータ取付金具１１を鉄筋４１に固定する。
【００４１】
而して、前記セパレータ取付金具取付構造５２に於いても、セパレータ取付金具１１及びＵボルト５１を用いて、現場打ちコンクリート構造物の型枠（図９に於いて４５）と鉄筋４１とを所定位置に保持するセパレータ（図９に於いて４２）を容易に且つ短時間で強固に取り付けることができ、更に、この場合、比較的安価なＵボルト５１を用いるので、コスト削減に寄与できる。但し、Ｕボルト５１を用いるため、ナット５３の締付時間等が増大し、前記セパレータ取付金具締結具（図５に於いて３１）を用いる場合よりは、作業時間がかかるという問題がある。
【図面の簡単な説明】
【００４２】
【図１】本発明のセパレータ取付金具の斜視図である。
【図２】本発明のセパレータ取付金具の側面縦断面図である。
【図３】本発明のセパレータ取付金具締結具の一部切欠正面図である。
【図４】本発明のセパレータ取付金具をセパレータ取付金具締結具を介して鉄筋に取り付ける状態を説明する斜視図である。
【図５】本発明のセパレータ取付金具をセパレータ取付金具締結具を介して鉄筋に取り付けた状態を示す斜視図である。
【図６】本発明のセパレータ取付金具をセパレータ取付金具締結具を介して鉄筋に取り付けた状態を示す側面縦断面図である。
【図７】本発明のセパレータ取付金具をセパレータ取付金具締結具を介して鉄筋に取り付ける状態、及び、セパレータをセパレータ取付金具に取り付ける状態を説明する斜視図である。
【図８】本発明のセパレータをセパレータ取付金具に取り付けた状態を示す背面図である。
【図９】本発明のセパレータ取付金具取付機構による施工を示す斜視図である。
【図１０】本発明のセパレータ取付金具をＵボルトを介して鉄筋に取り付けた状態を示す斜視図である。
【図１１】従来例のセパレータ取付金具取付機構による施工を示す斜視図である。
【符号の説明】
【００４３】
１１  セパレータ取付金具
１２  上板部
１３  左側板部
１４  右側板部
１５  第１貫通孔
１６  第２貫通孔
１７  横孔
１８  切欠部
１９  丸孔
２０  溝孔
２１，２２  ずれ止め突起
３１  セパレータ取付金具締結具
３２  直方体状部材
３３  フック部
３４，４４，５３  ナット
３５，４３  雄ネジ部
３６  連結体
４１  鉄筋
４２  セパレータ
４５  型枠
４６，５２  セパレータ取付金具取付構造
５１  Ｕボルト
【図１】
2006299715.tif 000003
【図２】
2006299715.tif 000004
【図３】
2006299715.tif 000005
【図４】
2006299715.tif 000006
【図５】
2006299715.tif 000007
【図６】
2006299715.tif 000008
【図７】
2006299715.tif 000009
【図８】
2006299715.tif 000010
【図９】
2006299715.tif 000011
【図１０】
2006299715.tif 000012
【図１１】
2006299715.tif 000013